(57)【特許請求の範囲】
【請求項１】
天壁（２）の周縁に複数個の側壁（３）（４）（３）（４）が垂れ下がり状に設けられるとともに、隣接する２個の側壁（３）（４）のうち一方の側壁（３）の側縁に第１折目（11）を介して連設された連結片（５）が前記第１折目から折り曲げられて他方の側壁（４）の内面又は外面に貼着されることにより、前記一方の側壁（３）と前記他方の側壁（４）とが互いに連結されてなり、
且つ、上端が開放されるとともに側板（34）の上縁に上梁部（36）が該側板（34）の外面位置よりも外側に突出した態様で設けられたボックス型パレット（30）に外嵌め状態に被せられるボックス型パレット用段ボール製蓋（L1）（L2）であって、
前記第１折目（11）に交差して延びる切目（14）が前記一方の側壁（３）と前記連結片（５）とに跨って設けられるとともに、
前記一方の側壁（３）に前記切目（14）の一端部から略下方向に延びた第２折目（12）が設けられる一方、前記連結片（５）に前記切目（14）の他端部から略下方向に延びた第３折目（13）が設けられ、
前記一方の側壁（３）及び前記連結片（５）における前記切目（14）と前記第２折目（12）と前記第３折目（13）とで囲まれた部位からなる抜脱防止部（６）が、閉蓋状態のもとで前記第２折目（12）及び前記第３折目（13）から内側に折り曲げられることにより、該抜脱防止部（６）が前記上梁部（36）の下方位置に移動されるものとなされていることを特徴とするボックス型パレット用段ボール製蓋。
【請求項２】
前記第２折目（12）及び第３折目（13）はともに、前記第１折目（11）側に傾斜した状態で延びている請求項１記載のボックス型パレット用段ボール製蓋。
【請求項３】
前記連結片（５）は、前記他方の側壁（４）の内面に貼着されるとともに、
前記他方の側壁（４）の側縁部に、切欠き部（７）が設けられて、該切欠き部（７）から前記連結片（５）における前記抜脱防止部（６）の少なくとも一部の外面が露出されている請求項１又は２記載のボックス型パレット用段ボール製蓋。
【請求項４】
前記天壁（２）の周縁の内側近傍に、該周縁に沿って延びた折目（21）が設けられている請求項１〜３のいずれか１項記載のボックス型パレット用段ボール製蓋。
【発明の詳細な説明】
【０００１】
【発明の属する技術分野】
この発明は、ボックス型パレット用段ボール製蓋に関し、詳述すれば、生ゴムの搬送や廃棄物の一時収納等に用いられるボックス型パレットに被せられる段ボール製蓋に関する。
【０００２】
【従来の技術】
生ゴムの搬送等に用いられるボックス型パレット（130）として、図１３に示すように、上端が開放されたボックス体（131）を備えたものが知られている。このボックス体（131）は、複数個の差込口（142）を有する台部（141）上に形成されたものであって、前後左右の四側板（133）（134）（133）（134）を有している。
【０００３】
この種のボックス型パレット（130）において、従来、ボックス体（131）の上端開口部の閉塞操作は、次のように行われていた。すなわち、生ゴム等の被収容物をボックス体（131）内に収容した後、比較的柔軟なカバーシート（110）をボックス体（131）に被せて該カバーシート（110）でボックス体（131）の上端開口部を覆い、次いで該カバーシート（110）上に略井桁状の木製蓋板（120）を載置する。そして、該蓋板（120）を下方に押しながらこれをボックス体（131）の側板（133）の上縁部内面に突設された爪片（135）に引っ掛け、これにより蓋板（120）を外れないようロックして蓋板（120）の抜脱を防止する。このような操作により、ボックス体（131）の上端開口部が閉塞されていた。
【０００４】
【発明が解決しようとする課題】
而して、上記従来のカバーシート（110）は、メッシュ状に並んだポリエチレン繊維等の合成樹脂繊維（111）で補強されたクラフト紙から製作されていた。このため、このカバーシート（110）は、軽量で且つ破れ難いという利点を有する反面、廃棄処理上いささか問題が多いものであった。すなわち、このカバーシート（110）は合成樹脂繊維（111）で補強されたクラフト紙から製作されたものであるから、これをそのまま焼却すると、合成樹脂繊維（111）の燃焼に伴い人体に悪影響を及ぼす有害なガスが発生する恐れがある。このため、廃棄処理の際には、カバーシート（110）から合成樹脂繊維（111）を取り除かなければならなず、煩わしい分別作業が強いられていた。
【０００５】
そこで、このようなクラフト紙製のカバーシート（110）の代替品として、例えば段ボールから製作されたカバーシート（図示せず）を用いることが提案される。段ボールは、軽量である上、合成樹脂繊維でわざわざ補強しなくても比較的高い強度を有しているからである。したがって、段ボール製のカバーシートによれば、これを廃棄処理するに当たっては、上述した問題は発生することはないが、これを用いて上述した閉蓋操作を行う場合には、次のような難点があった。すなわち、この段ボール製カバーシート上に蓋板（120）を載置してこれを爪片（135）に引っ掛けるべく下方に押してもカバーシートが折れ曲がり難く、このため、蓋板（120）の爪片（135）への引っ掛け操作が困難になるという難点があった。
【０００６】
一方、図示していないが、ボックス体（131）に外嵌め状態に被せられる段ボール製の蓋を新たに開発して、この段ボール製蓋によってボックス体（131）の開口部を閉塞する方法が提案される。しかしながら、この場合には、搬送時等に蓋が不本意に抜脱しないようにするため、蓋を被せた後で、別途粘着テープにより蓋を固定する必要があり、閉蓋操作が面倒になるという難点があった。更には、蓋を取り外す際に、この粘着テープを引き剥がさなければならず、開蓋操作も面倒になるという難点があった。その上、粘着テープについても分別して廃棄処理しなければならず、煩わしい分別作業が強いられることになる。
【０００７】
この発明は、上述した技術背景に鑑みてなされたもので、その目的は、上端が開放されたボックス型パレットに被せられる段ボール製の蓋であって、簡単な操作で蓋の抜脱を防止することのできるボックス型パレット用段ボール製蓋を提供することにある。
【０００８】
【課題を解決するための手段】
上記目的を達成するため、この発明（請求項１）は、天壁の周縁に複数個の側壁が垂れ下がり状に設けられるとともに、隣接する２個の側壁のうち、一方の側壁の側縁に第１折目を介して連設された連結片が前記第１折目から折り曲げられて他方の側壁の内面又は外面に貼着されることにより、前記一方の側壁と前記他方の側壁とが互いに連結されてなり、且つ、上端が開放されるとともに側板の上縁に上梁部が該側板の外面位置よりも外側に突出した態様で設けられたボックス型パレットに外嵌め状態に被せられるボックス型パレット用段ボール製蓋であって、前記第１折目に交差して延びる切目が前記一方の側壁と前記連結片とに跨って設けられるとともに、前記一方の側壁に前記切目の一端部から略下方向に延びた第２折目が設けられる一方、前記連結片に前記切目の他端部から略下方向に延びた第３折目が設けられ、前記一方の側壁及び前記連結片における前記切目と前記第２折目と前記第３折目とで囲まれた部位からなる抜脱防止部が、閉蓋状態のもとで前記第２折目及び前記第３折目から内側に折り曲げられることにより、該抜脱防止部が前記上梁部の端部の下方位置に移動されるもとのなされていることを特徴としている。
【０００９】
このボックス型パレット用段ボール製蓋は、段ボールから製作されることにより、軽量になり、また破れ難いため繰返し使用できるようになる。一方、耐用寿命が尽きた場合には、分別作業を行うことなくこれを廃棄処理できるようになるか、あるいは簡単な分別作業を行うだけでこれを廃棄処理できるようになる。
【００１０】
また、この蓋によれば、ボックス型パレットに外嵌め状態に被せられた後で、抜脱防止部が第２折目及び第３折目から内側に折り曲げられることにより、これが上梁部の下方位置に移動されるようになる。この状態において、もし仮に蓋が不本意に上方に移動して抜脱しようとしても、該抜脱防止部の上縁部が上梁部の下面部にぶつかるようになる。この結果、蓋の抜脱が防止されるようになる。また、抜脱防止部を所定の折目から内側に折り曲げることにより、蓋の抜脱が防止されることから、簡単な操作で蓋の抜脱を防止できるようになる。
【００１１】
上記ボックス型パレット用段ボール製蓋において、前記第２折目及び第３折目はともに、前記第１折目側に傾斜した状態で延びていることが、望ましい（請求項２）。
【００１２】
この場合には、抜脱防止部が内側に折り曲げられた状態において、該抜脱防止部と側板との間には比較的大きな隙間が形成されるようになる。したがって、抜脱防止部を元の位置に戻す際に、この隙間内に指を下から容易に差し込み得るようになり、この結果、抜脱防止部の戻し操作を容易に行えるようになる。
【００１３】
上記ボックス型パレット用段ボール製蓋において、前記連結片は、前記他方の側壁の内面に貼着されるとともに、前記他方の側壁の側縁部に、切欠き部が設けられて、該切欠き部から前記連結片における前記抜脱防止部の少なくとも一部の外面が露出されていることが、望ましい（請求項３）。
【００１４】
この場合には、抜脱防止部の内側への折曲げ操作を容易に行えるようになる。
【００１５】
上記ボックス型パレット用段ボール製蓋において、前記天壁の周縁の内側近傍に、該周縁に沿って延びた折目が設けられていることが、望ましい（請求項４）。
【００１６】
この場合には、ボックス型パレットに蓋を被せた後で、この上に新たなボックス型パレットを段積みする際に、この新たなボックス型パレットの自重によって天壁の折目より内側の部位が該パレット下面に設けられた位置決め用凸部で押されて該折目から折り曲げられるようになる。この結果、段積みされたボックス型パレットの安定性が向上するようになるし、段積み時に蓋の天壁の所定部位が無理なく折り曲げられるようになり、もって蓋の耐用寿命が長くなる。
【００１７】
【発明の実施の形態】
次に、この発明の実施形態を図面を参照して説明する。
【００１８】
図１〜図９はこの発明の第１実施形態に係る紙段ボール製蓋（L1）を示している。この蓋（L1）は、図１に示したボックス型パレット（30）用のものである。
【００１９】
まず、ボックス型パレット（30）の構成について説明する。
【００２０】
このボックス型パレット（30）は、図１及び図２に示すように、生ゴムの搬送等に用いられるスチール製のものであって、その構造は従来公知の構造である。すなわち、このボックス型パレット（30）は、複数個の差込口（42）を有する台部（41）と、該台部（41）上に形成されるとともに上端が開放された箱型のボックス体（31）と、を備えている。
【００２１】
前記ボックス体（31）は、図１に示すように、前後左右の垂直四側板（33）（34）（33）（34）を有している。さらに、このボックス体（31）の四隅には、上下方向に延びたコーナーポスト（37）が設けられている。また、前側板（34）の外面は、該前側板（34）の左右両側縁部のコーナーポスト（37）（37）の前外面と略面一に連なっている。これと同じく、後側板（34）の外面は、該後側板（34）の左右両側縁部のコーナーポスト（37）（37）の後外面と略面一に連なっている。
【００２２】
また、前側板（34）の上縁外面には、該上縁に沿って前側板（34）の左右両側縁部のコーナーポスト（37）（37）にまで延びた前上梁部（36）が、前側板（34）の外面位置及び両コーナーポスト（37）（37）の前外面位置よりも外側に突出した態様で設けられている。この前上枠部（36）の下面部（36a）は、前側板（34）の外面及び両コーナーポスト（37）（37）の前外面に対して略垂直に形成されている。これと同じく、後側板（34）の上縁外面には、該上縁に沿って後側板（34）の左右両側縁部のコーナーポスト（37）（37）にまで延びた後上梁部（36）が、後側板（34）の外面位置及び両コーナーポスト（37）（37）の後外面位置よりも外側に突出した態様で設けられている。この後上枠部（36）の下面部（36a）も、後側板（34）の外面及び両コーナーポスト（37）（37）の後外面に対して略垂直に形成されている。これら前後の上梁部（36）はいずれも断面略ロ字状の中空パイプ材からなる。一方、左右の各側板（33）の上縁には、該上縁に沿って延びた左右の上梁部（35）が設けられている。
【００２３】
また、各側板（33）（34）（33）（34）の幅方向中間部には、上下方向に延びた複数個の補強用中間ポスト（38）が互いに所定間隔をおいて設けられている。
【００２４】
一方、台部（41）の下面には、図２（ロ）に示すように、段積み時の位置決め用凸部（43）が設けられている。
【００２５】
次に、蓋（L1）の構成について説明する。
【００２６】
この蓋（L1）は、図２（イ）及び（ロ）に示すように、上記ボックス型パレット（30）のボックス体（31）の上端部に外嵌め状態に被せられるものであって、図９に展開図で示すように、所定の肉厚（例えば２〜６ｍｍ）を有する１枚の紙段ボールからなるブランクの所定部位を折り曲げることにより、製作されたものである。
【００２７】
この蓋（L1）は、方形状の天壁（２）と、該天壁（２）の周縁に垂れ下がり状に設けられた前後左右の四側壁（３）（４）（３）（４）とを有している。各側壁（３）（４）（３）（４）はいずれも、天壁（２）の周縁に折目（20）を介して連設されたものであり、該折目（20）から天壁（２）内面に対して略垂直に折り曲げられることにより、該天壁（２）の周縁に垂れ下がり状に形成されたものである。
【００２８】
これら前後左右の四側壁（３）（４）（３）（４）において、左右の側壁（３、一方の側壁）の前後各側縁には、第１折目（11）を介して略台形状の連結片（５）が連設されている。そして、該連結片（５）が前記第１折目（11）から内側に折り曲げられて前後の側壁（４、他方の側壁）の側縁部の内面に接着剤で貼着されることにより、左右の側壁（３）と前後の側壁（４）とが互いに連結されている。
【００２９】
さらに、蓋（L1）の展開状態において前記第１折目（11）に対して略直交して延びる第１切目（14）が、左右の側壁（３）と連結片（５）とに跨って設けられている。さらに、この第１実施形態では、前記第１切目（14）よりも短く且つ前記第１折目（11）に対して略直交して延びる第２切目（15）が、前記第１切目（14）よりも下側の位置において左右の側壁（３）と連結片（４）とに跨って設けられている。さらに、左右の側壁（３）には、前記第１切目（14）の一端部から前記第１折目（11）側に傾斜した状態で下方向に延びるとともに下端が前記第２切目（15）の一端部に接続された第２折目（12）が設けられている。これと同じく、連結片（５）には、前記第１切目（14）の他端部から第１折目（11）側に傾斜した状態で下方向に延びるとともに下端が前記第２切目（15）の他端部に接続された第３折目（13）が設けられている。
【００３０】
この第１実施形態では、左右の側壁（３）及び連結片（５）における、第１切目（14）、第２切目（15）、第２折目（12）及び第３折目（13）で囲まれた略逆台形状の部位（６）が、抜脱防止部となる。
【００３１】
この抜脱防止部（６）の構成を詳細に説明すると、この抜脱防止部（６）は、前記第１折目（11）で二つに折半されてなる、左右の側壁（３）側の第１折半部（6a）と連結片（５）側の第２折半部（6b）とから構成されたものであって、第１折半部（6a）と第２折半部（6b）とが第１折目（11）を介して互いに連結されているものである。すなわち、第１折半部（6a）は、左右の側壁（３）における、第１切目（14）、第２切目（15）、第２折目（12）及び第１折目（11）で囲まれた部位からなる。一方、第２折半部（6b）は、連結片（５）における、第１切目（14）、第２切目（15）、第３折目（13）及び第１折目（11）で囲まれた部位からなる。
【００３２】
図３に示すように、各抜脱防止部（６）の第１折半部（6a）及び第２折半部（6b）は、蓋（L1）をロックする前の状態（すなわち抜脱防止部（６）を内側に折り曲げる前の状態）では、外面側から見て山折り状態に第１折目（11）から互いに折り曲げられている。
【００３３】
一方、前後の側壁（４）の左右各側縁部には、図３に示すように、略円弧状に切り欠かれた切欠き部（７）が設けられている。このように切欠き部（７）が設けられることにより、該切欠き部（７）から連結片（５）における抜脱防止部（６）の第２折半部（6b）の略全部の外面が露出されている。
【００３４】
また、天壁（２）の周縁の内側近傍には、該周縁に沿って延びた複数列（同図では３列）の折目（21）が全周に亘って設けられている。さらに、これら複数列の折目（21）の四コーナー部にはいずれも、これら複数列の折目（21）を互いに連結する斜状補助折目（22）が設けられている。これら複数列の折目（21）及び補助折目（22）は、段積み時に強制的に折り曲げられるものである。すなわち、図８に示すように、蓋（L1）をボックス型パレット（30）のボックス体（31）に被せた後で、この上に新たなボックス型パレットを段積みする場合には、天壁（２）の前記折目（21）よりも内側の部位が、この新たなボックス型パレットの台部（41）の下面に設けられた位置決め用凸部（43）で押されて折目（21）及び補助折目（22）から折り曲げられるようになる。この結果、ボックス型パレット（30）を安定良く段積みできるようになるし、また天壁（２）の所定部位が無理なく折り曲げられるようになるため、蓋（L1）の耐用寿命が長くなる。
【００３５】
なお、図３において、（23）は、蓋（L1）を扁平状に折り畳む際に折り曲げられる斜状折目である。この斜状折目（23）は、前後の側壁（４）の左右各側縁部に、該側壁（４）の上縁の端部から該上縁に対して約４５°の角度をなして該側壁（４）の下縁にまで延びて設けられている。
【００３６】
而して、上記構成の蓋（L1）のロック操作（すなわち抜脱防止部（６）の内側への折曲操作）は、次のように行われる。まず、図３及び図４に示すように蓋（L1）をボックス型パレット（30）のボックス体（31）に上から外嵌め状態に被せて閉蓋状態にする（この蓋（L1）の閉蓋操作は後述する）。次いで、各抜脱防止部（６）の第１折目（11）部分又はその近傍の外面を指（Ｆ）で内方側に向かって若干強く押し（図４参照）、これにより該抜脱防止部（６）の第１折半部（6a）及び第２折半部（6b）を、それぞれ第２折目（12）及び第３折目（13）から内側に折り曲げるとともに外面側から見て山折り状態から谷折り状態になる直前まで両折半部（6a）（6b）を第１折目（11）から互いに折り曲げる。この両折半部（6a）（6b）の第１折目（11）からの折曲動作に伴い、側壁（３）と連結片（５）が両折半部（6a）（6b）によってそれぞれ外側に押し出されるように曲げられ、これにより側壁（３）と連結片（５）に弾性復元力が蓄積されるようになる。
そして、両折半部（6a）（6b）の第１折目（11）からの折曲状態が谷折り状態になったとき、側壁（３）と連結片（５）に蓄積された弾性復元力によって両折半部（6a）（6b）が強制的に勢いよくカチッと音を発して第２折目（12）及び第３折目（13）から内側に更に折り曲げられるとともに第１折目（11）から互いに折り曲げられる。この折曲動作により、抜脱防止部（６）が最終的に図５及び図６に示すように上梁部（36）の端部の略直下位置における該上梁部（36）の下面部（36a）近傍に移動される。
【００３７】
この折曲状態において、各抜脱防止部（６）は、前後の上梁部（36）の端部の略直下位置に移動されていることから、もし仮にボックス型パレット（30）の搬送時等に蓋（L1）が不本意に上方に移動して抜脱しようとしても、該抜脱防止部（６）の上縁部が上梁部（36）の端部の下面部（36a）に衝合するようになる。こうして蓋（L1）は不本意に抜脱しないようロックされて該蓋（L1）の抜脱が防止されるようになる。
【００３８】
さらに、この抜脱防止部（６）の内側への折曲状態において、側壁（３）と連結片（５）に蓄積された弾性復元力は既に開放されて該側壁（３）と該連結片（５）はそれぞれ元の位置に戻っているため、抜脱防止部（６）はこの折曲状態に保持されている。したがって、抜脱防止部（６）が不本意に元の位置に戻るという不具合は生じない。
【００３９】
さらに、この蓋（L1）によれば、各抜脱防止部（６）を内側に折り曲げることにより、蓋（L1）の抜脱が防止されるようになるから、閉蓋操作を行う際に粘着テープ等の蓋固定手段を用いる必要がないという利点がある。
【００４０】
さらに、抜脱防止部（６）の内側への折曲操作を行うに際し、上述したように連結片（５）における抜脱防止部（６）の第２折半部（6b）の略全部の外面が切欠き部（７）から露出されているので、抜脱防止部（６）の折曲操作を容易に行うことができる。
【００４１】
一方、蓋（L1）のロックを解除して蓋（L1）を取り外す場合には、上述した蓋（L1）のロック操作とは逆の操作を行う。すなわち、図６に示すように、抜脱防止部（６）と側板（34）との間に形成された隙間（Ｓ）内に、指（Ｆ）を下から差し込む。そして、抜脱防止部（６）の第１折目（11）部分又はその近傍の内面を指（Ｆ）で外方側に向かって若干強く押し、これにより該抜脱防止部（６）の第１折半部（6a）及び第２折半部（6b）を、それぞれ第２折目（12）及び第３折目（13）から外側に折り曲げるとともに外面側から見て谷折り状態から山折り状態になる直前まで両折半部（6a）（6b）を第１折目（11）から互いに折り曲げる。この両折半部（6a）（6b）の第１折目（11）からの折曲動作に伴い、側壁（３）と連結片（５）が両折半部（6a）（6b）によってそれぞれ外側に押し出されるように曲げられ、これにより側壁（３）と連結片（５）に弾性復元力が蓄積されるようになる。そして、両折半部（6a）（6b）の第１折目（11）からの折曲状態が山折り状態になったとき、側壁（３）と連結片（６）に蓄積された弾性復元力によって両折半部（6a）（6b）が強制的に勢いよくカチッと音を発して第２折目（12）及び第３折目（13）から外側に更に折り曲げられるとともに第１折目（11）から互いに折り曲げられる。この折曲動作により、抜脱防止部（６）が最終的に図４及び図５に示した元の位置まで移動され、もって蓋（L1）のロックが解除されて蓋（L1）の取り外しが可能になる。
【００４２】
この折曲状態において、側壁（３）と連結片（５）に蓄積された弾性復元力は既に開放されて該側壁（３）と該連結片（５）はそれぞれ元の位置に戻っているため、各抜脱防止部（６）はこの折曲状態に保持されている。したがって、抜脱防止部（６）が不本意に内側に折れ曲がるという不具合は生じない。
【００４３】
この抜脱防止部（６）の戻し操作を行うに際し、内側に折り曲げられた抜脱防止部（６）と側板（34）との間には、比較的大きな隙間（Ｓ）が形成されているため、指（Ｆ）を隙間（Ｓ）内に容易に差し込むことができる。このため、抜脱防止部（６）の戻し操作、即ち蓋（L1）のロック解除操作を容易に行うことができる。
【００４４】
而して、上記構成の蓋（L1）の閉蓋操作は、例えば次のように行われる。すなわち、図７（イ）に示すように、まず蓋（L1）の４個の抜脱防止部（６）のうち互いに隣り合う２個の抜脱防止部（６）を選択してこれを予め内側に折り曲げておく。そして、蓋（L1）をこの２個の抜脱防止部（６）を有する一側縁部からボックス体（31）に被せる。次いで、蓋（L1）を前記一側縁部とは反対側の側縁部側に引き寄せることにより、内側に折り曲げられた２個の抜脱防止部（６）を上梁部（36）に引っ掛ける。次いで、図７（ロ）に示すように、蓋全体をボックス体（31）に被せた後、残りの２個の抜脱防止部（６）を内側に折り曲げる。このようにして蓋（L1）の閉蓋操作が行われる。
【００４５】
而して、この第１実施形態では、蓋（L1）は、段ボールから製作されているので軽量であるという利点を有している。さらに、段ボールは比較的強度が高く破れ難いため、これを繰返し使用することができる。一方、蓋（L1）の耐用寿命が尽きた場合には、分別作業を行うことなくこれを廃棄処理することができるし、紙として再生することができる。
【００４６】
また、この蓋（L1）によれば、連結片（５）は前後の側壁（４）の内面に貼着されて該側壁（４）によって半分以上が隠蔽された状態になっているから、外観体裁が良好である。
【００４７】
図１０〜図１２は、この発明の第２実施形態に係る紙段ボール製蓋（L2）を示している。これらの図面には、上記第１実施形態に係る蓋（L1）及びボックス型パレット（30）に対応する要素に、同一符号が付されており、以下、この第２実施形態に係る蓋（L2）を上記第１実施形態のものとの相違点を中心に説明する。
【００４８】
この第２実施形態に係る蓋（L2）では、図１２に展開図で示すように、上記第１実施形態に係る蓋（L1）と同じく、第１折目（11）に対して略直交して延びる第１切目（14）が、左右の側壁（３）と連結片（５）とに跨って設けられている。一方、この第２実施形態では、第２切目（図９参照、15）は設けられていない。そして、左右の側壁（３）には、第１切目（14）の一端部から第１折目（11）側に傾斜した状態で下方向に延びるとともに下端が第１折目（11）の下端部に接続された第２折目（12）が設けられている。これと同じく、連結片（５）には、第１切目（14）の他端部から第１折目（11）側に傾斜した状態で下方向に延びるとともに下端が第１折目（11）の下端部に接続された第３折目（13）が設けられている。
【００４９】
この第２実施形態では、左右の側壁（３）及び連結片（５）における、第１切目（14）、第２折目（12）及び第３折目（13）で囲まれた略逆三角形状の部位（６）が、抜脱防止部となる。したがって、この第２実施形態では、抜脱防止部（６）は、左右の側壁（３）における、第１切目（11）、第２折目（12）及び第１折目（11）で囲まれた部位からなる第１折半部（6a）と、連結片（５）における、第１切目（11）、第３折目（13）及び第１折目（11）で囲まれた部位からなる第２折半部（6b）と、から構成されたものであって、第１折半部（6a）と第２折半部（6b）とが互いに第１切目（11）を介して連結されているものである。
【００５０】
図１０はこの第２実施形態の蓋（L2）における図３に対応する図、図１１はこの第２実施形態の蓋（L2）における図５に対応する図である。この第２実施形態の蓋（L2）のロック操作及びロック解除操作は、上記第１実施形態の蓋（L1）と同じ操作・手順で行われ、重複する記載を省略する。
【００５１】
以上でこの発明の第１及び第２実施形態に係る蓋（L1）（L2）を説明したが、この発明に係る蓋は上記第１及び第２実施形態に係る蓋（L1）（L2）に限定されるものではなく、様々に設定変更可能であることはもちろんである。
【００５２】
例えば、請求項１の発明に係る蓋においては、連結片（５）は前後の側壁（４、他方の側壁）の外面に貼着されていても良い。
【００５３】
【発明の効果】
上述の次第で、この発明（請求項１）に係るボックス型パレット用段ボール製蓋は、段ボールから製作されているので、軽量である上、これを繰返し使用することができる。また、耐用寿命が尽きた場合には、分別作業を行うことなくこれを廃棄処理することができるか、あるいは簡単な分別作業を行うだけでこれを廃棄処理することができる。
【００５４】
さらに、抜脱防止部が、閉蓋状態のもとで第２折目及び第３折目から内側に折り曲げられることにより、該抜脱防止部が上梁部の下方位置に移動されるものとなされているから、必ずしも粘着テープ等の蓋固定手段を用いなくても蓋の抜脱を防止することができる。
【００５５】
さらに、この蓋によれば、段ボールの弾性復元力を利用して、抜脱防止部を内側に折り曲げた位置と元の位置とに任意に変更させることができる。したがって、簡単な操作で抜脱防止部の内側への折曲操作と戻し操作を行うことができる。その上、段ボールの弾性復元力によって抜脱防止部の内側への折曲状態が保持されるようになり、このため、抜脱防止部が不本意に元の位置に戻るという不具合は生じない。
【００５６】
上記ボックス型パレット用段ボール製蓋において、第２折目及び第３折目はともに、第１折目側に傾斜した状態で延びている場合には（請求項２）、内側に折り曲げられた抜脱防止部を元の位置に戻す際に、抜脱防止部と側板との間に形成された隙間内に指を容易に差し込むことができ、このため、抜脱防止部の戻し操作を容易に行うことができる。
【００５７】
上記ボックス型パレット用段ボール製蓋において、連結片が他方の側壁の内面に貼着されるとともに、他方の側壁の側縁部に、切欠部が設けられて、該切欠部から連結片における抜脱防止部の少なくとも一部の外面が露出されている場合には（請求項３）、抜脱防止部の内側への折曲操作を容易に行うことができる。
【００５８】
上記ボックス型パレット用段ボール製蓋において、天壁の周縁の内側近傍に、該周縁に沿って延びた折目が設けられている場合には（請求項４）、蓋を被せた状態のままで複数個のボックス型パレットを安定良く段積みできるようになるし、また段積み時に蓋の天壁の所定部位が無理なく折り曲げられるようになるため、耐用寿命の長い蓋を提供することができる。
【図面の簡単な説明】
【図１】この発明の第１実施形態に係るボックス型パレット用段ボール製蓋を、ボックス型パレットと共に示す全体斜視図である。
【図２】（イ）は同蓋を被せた状態で示す全体斜視図、（ロ）は（イ）中のII−II線断面図である。
【図３】同蓋を被せた状態において、抜脱防止部を内側に折り曲げる前の状態で示す要部斜視図である。
【図４】図３中のIV−IV線断面図である。
【図５】同蓋を被せた状態において、抜脱防止部を内側に折り曲げた後の状態で示す要部斜視図である。
【図６】図５中のVI−VI線断面図である。
【図７】同蓋の閉蓋操作を説明するための図であって、（イ）は蓋を被せる途中の状態で示す側面図である。（ロ）は蓋を被せた直後の状態で示す側面図である。
【図８】段積み途中の状態で示す、図２（ロ）に対応する断面図である。
【図９】同蓋の展開図である。
【図１０】この発明の第２実施形態に係るボックス型パレット用段ボール製蓋を示す、図３に対応する要部斜視図である。
【図１１】同蓋を示す、図５に対応する要部斜視図である。
【図１２】同蓋の展開図である。
【図１３】従来の蓋を、ボックス型パレットと共に示す一部切欠き斜視図である。
【符号の説明】
L1、L2…蓋
３…左右の側壁（一方の側壁）
４…前後の側壁（他方の側壁）
５…連結片
６…抜脱防止部
6a…第１折半部
6b…第２折半部
７…切欠き部
11…第１折目
12…第２折目
13…第３折目
14…第１切目（切目）
15…第２切目
30…ボックス型パレット
31…ボックス体
36…前後の上梁部（上梁部）
【図１】
0004558983.tif 000002
【図２】
0004558983.tif 000003
【図３】
0004558983.tif 000004
【図４】
0004558983.tif 000005
【図５】
0004558983.tif 000006
【図６】
0004558983.tif 000007
【図７】
0004558983.tif 000008
【図８】
0004558983.tif 000009
【図９】
0004558983.tif 000010
【図１０】
0004558983.tif 000011
【図１１】
0004558983.tif 000012
【図１２】
0004558983.tif 000013
【図１３】
0004558983.tif 000014